(57)【特許請求の範囲】
【請求項１】
上面部に装着口が開口し、前面部に出し入れ口が開口する筐体と、少なくとも下部が上記装着口から上記筐体内に挿入された状態で上記筐体に取り付けられたガスコンロ本体とを備え、上記ガスコンロ本体の上記筐体内に挿入された下部に導入口が設けられ、この導入口にガス供給管が接続されるビルトイン式ガスコンロにおいて、
上記導入口がその開口部を後方に向けた状態で上記ガスコンロ本体の背面部に設けられ、
上記ガス供給管が上記導入口に接続管を介して接続されており、
上記接続管が、それぞれの全体が上記筐体の内部に配置された第１接続管部と第２接続管部とを有し、
上記第１接続管部が、直管状に形成されるとともに、その軸線を前後方向に向けて配置され、上記第１接続管部の下流側の端部が上記導入口に螺合固定され、上記第１接続管部の外周面にはスパナ掛け部が設けられ、
上記第２接続管部の下流側の端部が上記第１接続管部の上流側の端部にその軸線を中心として回動可能に連結され、上記第２接続管部の上流側の端部が上記下流側の端部から下方に屈曲して上記ガスコンロ本体の下面より下方まで延び、
上記第２接続管部の上流側の端部に上記ガス供給管が接続され、
上記第２接続管部の上記ガスコンロ本体より下側に位置する部分には、上記第２接続管部の内部を開閉する弁体と、上記第２接続管部の外部に設けられ、上記弁体を外部から操作可能なハンドルとを有するガス栓部が設けられ、
上記ハンドルが上記第２接続管部の左右いずれか一方の側部に配置されていることを特徴とするビルトイン式ガスコンロ。
【請求項２】
上面部に装着口が開口し、前面部に出し入れ口が開口する筐体と、少なくとも下部が上記装着口から上記筐体内に挿入された状態で上記筐体に取り付けられたガスコンロ本体とを備え、上記ガスコンロ本体の上記筐体内に挿入された下部に導入口が設けられ、この導入口にガス供給管が接続されるビルトイン式ガスコンロにおいて、
上記導入口がその開口部を後方に向けた状態で上記ガスコンロ本体の背面部に設けられ、
上記ガス供給管が上記導入口に接続管を介して接続されており、
上記接続管が、それぞれの全体が上記筐体の内部に配置された第１接続管部、第２接続管部及び第３接続管部を有し、
上記第１接続管部が、直管状に形成されるとともに、その軸線を前後方向に向けて配置され、上記第１接続管部の下流側の端部が上記導入口に螺合固定され、上記第１接続管部の外周面にはスパナ掛け部が設けられ、
上記第２接続管部の下流側の端部が上記第１接続管部の上流側の端部にその軸線を中心として回動可能に連結され、上記第２接続管部の上流側の端部が上記下流側の端部から屈曲して下方に延び、
上記第３接続管部の下流側の端部が上記第２接続管部の上流側の端部に上下に延びる軸線を中心として回動可能に連結され、上記第３接続管部の上流側の端部に上記ガス供給管が接続され、
上記第３接続管部の上記ガスコンロ本体より下側に位置する部分には、上記第３接続管部の内部を開閉する弁体と、上記第３接続管部の外部に設けられ、上記弁体を外部から操作可能なハンドルとを有するガス栓部が設けられていることを特徴とするビルトイン式ガスコンロ。
【請求項３】
上面部に装着口が開口し、前面部に出し入れ口が開口する筐体と、少なくとも下部が上記装着口から上記筐体内に挿入された状態で上記筐体に取り付けられたガスコンロ本体とを備え、上記ガスコンロ本体の上記筐体内に挿入された下部に導入口が設けられ、この導入口にガス供給管が接続されるビルトイン式ガスコンロにおいて、
上記導入口がその開口部を後方に向けた状態で上記ガスコンロ本体の背面部に設けられ、
上記ガス供給管が上記導入口に接続管を介して接続されており、
上記接続管が、それぞれの全体が上記筐体の内部に配置された第１接続管部、第２接続管部、第３接続管部及び第４接続管部を有し、
上記第１接続管部が、直管状に形成されるとともに、その軸線を前後方向に向けて配置され、上記第１接続管部の下流側の端部が上記導入口に螺合固定され、上記第１接続管部の外周面にはスパナ掛け部が設けられ、
上記第２接続管部の下流側の端部が上記第１接続管部の上流側の端部にその軸線を中心として回動可能に連結され、上記第２接続管部の上流側の端部が上記下流側の端部から屈曲して下方に延び、
上記第３接続管部の下流側の端部が上記第２接続管部の上流側の端部に上下に延びる軸線を中心として回動可能に連結され、
上記第４接続管部の下流側端部が上記第３接続管部の上流側の端部に上下に延びる軸線を中心として回動可能に連結され、上記第４接続管部の上流側の端部に上記ガス供給管が接続され、
上記第３接続管部の上記ガスコンロ本体より下側に位置する部分には、上記第３接続管部の内部を開閉する弁体と、上記第３接続管部の外部に設けられ、上記弁体を外部から操作可能なハンドルとを有するガス栓部が設けられていることを特徴とするビルトイン式ガスコンロ。
【発明の詳細な説明】
【技術分野】
【０００１】
この発明は、ビルトイン式ガスコンロに関する。
【背景技術】
【０００２】
一般に、ビルトイン式ガスコンロは、下記特許文献１に記載されているように、上面部に装着口が、前面部に出し入れ口がそれぞれ設けられた筐体と、装着口に装着されたガスコンロ本体と、出し入れ口を開閉する扉とを備えている。筐体の内部空間のうちのガスコンロ本体より下側の部分が収容空間になっている。この収容空間には、扉を開閉することによって各種の物品を出し入れすることができる。
【０００３】
ガスコンロ本体の筐体内に挿入された下部の下面には、下方に向かって開口する導入口が設けられている。この導入口には、ガス供給管がガス栓を介して接続されている。したがって、ガス栓を開くと、ガスコンロ本体に設けられたガスバーナにガスが供給される。
【０００４】
【特許文献１】特開２００１−９９４２６号公報
【発明の開示】
【発明が解決しようとする課題】
【０００５】
上記従来のビルトイン式ガスコンロにおいては、導入口がガスコンロ本体の下面の前後方向における中間部に配置されている。したがって、ガス栓及びガス供給管も収容空間のうちの前後方向における中間部に配置されている。このような配置状況下では、収容空間のうちのガス栓及びガス供給管が配置された中間部が使用することができなくなるだけでなく、収容空間のうちのガス栓及びガス供給管から後方側に続く部分が実質的に使用することができなくなる。この結果、収容空間のうちの使用可能な範囲が大幅に狭められてしまうという問題があった。
【課題を解決するための手段】
【０００６】
上記の問題を解決するために、この発明の第１の態様は、上面部に装着口が開口し、前面部に出し入れ口が開口する筐体と、少なくとも下部が上記装着口から上記筐体内に挿入された状態で上記筐体に取り付けられたガスコンロ本体とを備え、上記ガスコンロ本体の上記筐体内に挿入された下部に導入口が設けられ、この導入口にガス供給管が接続されるビルトイン式ガスコンロにおいて、上記導入口がその開口部を後方に向けた状態で上記ガスコンロ本体の背面部に設けられ、上記ガス供給管が上記導入口に接続管を介して接続されており、上記接続管が、それぞれの全体が上記筐体の内部に配置された第１接続管部と第２接続管部とを有し、上記第１接続管部が、直管状に形成されるとともに、その軸線を前後方向に向けて配置され、上記第１接続管部の下流側の端部が上記導入口に螺合固定され、上記第１接続管部の外周面にはスパナ掛け部が設けられ、上記第２接続管部の下流側の端部が上記第１接続管部の上流側の端部にその軸線を中心として回動可能に連結され、上記第２接続管部の上流側の端部が上記下流側の端部から下方に屈曲して上記ガスコンロ本体の下面より下方まで延び、上記第２接続管部の上流側の端部に上記ガス供給管が接続され、上記第２接続管部の上記ガスコンロ本体より下側に位置する部分には、上記第２接続管部の内部を開閉する弁体と、上記第２接続管部の外部に設けられ、上記弁体を外部から操作可能なハンドルとを有するガス栓部が設けられ、上記ハンドルが上記第２接続管部の左右いずれか一方の側部に配置されていることを特徴としている。
上記の問題を解決するために、この発明の第２の態様は、上面部に装着口が開口し、前面部に出し入れ口が開口する筐体と、少なくとも下部が上記装着口から上記筐体内に挿入された状態で上記筐体に取り付けられたガスコンロ本体とを備え、上記ガスコンロ本体の上記筐体内に挿入された下部に導入口が設けられ、この導入口にガス供給管が接続されるビルトイン式ガスコンロにおいて、上記導入口がその開口部を後方に向けた状態で上記ガスコンロ本体の背面部に設けられ、上記ガス供給管が上記導入口に接続管を介して接続されており、上記接続管が、それぞれの全体が上記筐体の内部に配置された第１接続管部、第２接続管部及び第３接続管部を有し、上記第１接続管部が、直管状に形成されるとともに、その軸線を前後方向に向けて配置され、上記第１接続管部の下流側の端部が上記導入口に螺合固定され、上記第１接続管部の外周面にはスパナ掛け部が設けられ、上記第２接続管部の下流側の端部が上記第１接続管部の上流側の端部にその軸線を中心として回動可能に連結され、上記第２接続管部の上流側の端部が上記下流側の端部から屈曲して下方に延び、上記第３接続管部の下流側の端部が上記第２接続管部の上流側の端部に上下に延びる軸線を中心として回動可能に連結され、上記第３接続管部の上流側の端部に上記ガス供給管が接続され、上記第３接続管部の上記ガスコンロ本体より下側に位置する部分には、上記第３接続管部の内部を開閉する弁体と、上記第３接続管部の外部に設けられ、上記弁体を外部から操作可能なハンドルとを有するガス栓部が設けられていることを特徴としている。
上記の問題を解決するために、この発明の第３の態様は、上面部に装着口が開口し、前面部に出し入れ口が開口する筐体と、少なくとも下部が上記装着口から上記筐体内に挿入された状態で上記筐体に取り付けられたガスコンロ本体とを備え、上記ガスコンロ本体の上記筐体内に挿入された下部に導入口が設けられ、この導入口にガス供給管が接続されるビルトイン式ガスコンロにおいて、上記導入口がその開口部を後方に向けた状態で上記ガスコンロ本体の背面部に設けられ、上記ガス供給管が上記導入口に接続管を介して接続されており、上記接続管が、それぞれの全体が上記筐体の内部に配置された第１接続管部、第２接続管部、第３接続管部及び第４接続管部を有し、上記第１接続管部が、直管状に形成されるとともに、その軸線を前後方向に向けて配置され、上記第１接続管部の下流側の端部が上記導入口に螺合固定され、上記第１接続管部の外周面にはスパナ掛け部が設けられ、上記第２接続管部の下流側の端部が上記第１接続管の上流側の端部にその軸線を中心として回動可能に連結され、上記第２接続管部の上流側の端部が上記下流側の端部から屈曲して下方に延び、上記第３接続管部の下流側の端部が上記第２接続管部の上流側の端部に上下に延びる軸線を中心として回動可能に連結され、上記第４接続管部の下流側端部が上記第３接続管部の上流側の端部に上下に延びる軸線を中心として回動可能に連結され、上記第４接続管部の上流側の端部に上記ガス供給管が接続され、上記第３接続管部の上記ガスコンロ本体より下側に位置する部分には、上記第３接続管部の内部を開閉する弁体と、上記第３接続管部の外部に設けられ、上記弁体を外部から操作可能なハンドルとを有するガス栓部が設けられていることを特徴としている。
【発明の効果】
【０００７】
上記特徴構成を有するこの発明によれば、ガス導入口がガスコンロ本体の背面部に設けられているから、ガス供給管を直接に又はガス栓等を介して接続する場合、ガス供給管及びガス栓等は、収容空間の後端部（奥部）に配置される。したがって、収容空間は、ガス供給管及びガス栓等自体によって狭められるだけであり、それらの後方に位置することによって実質的に使用不能になる空間が無い。よって、収容空間のうちの使用可能な部分を実質的に広くすることができる。また、ガス栓部が第２接続管部のガスコンロ本体より下側に位置する部分に設けられているから、ガス栓部のハンドルを容易に回動させることができる。しかも、ハンドルが第２接続管部の左右いずれか一方の側部に設けられているので、第１接続管部を導入口に螺合固定するために、第１接続管部をスパナ等によって回転させる際に、ハンドルが回転操作の邪魔になることがない。
また、第２、第３の態様によれば、第１の態様による上記効果に加え、第１接続管部を導入口に螺合固定する際には、ハンドルを第３接続管部の左右いずれか一方の側部に位置させておくことができ、螺合固定後には、ハンドルを第３接続管部の前側に位置させることができる。ハンドルを第３接続管部の前側に位置させることにより、ハンドルの位置を筐体の前方から容易に確認することができるとともに、ハンドルを容易に開閉操作することができる。
特に、第３の態様によれば、ガス供給管を第４接続管部に接続した後でも、第３接続管部を容易に回動させることができ、それによってハンドルの位置を第３接続管部の側部と前部とに容易に変えることができる。
【発明を実施するための最良の形態】
【０００８】
以下、この発明を実施するための最良の形態を、図面を参照して説明する。
図１〜図５は、この発明の第１実施の形態を示す。この実施の形態は、この発明をシステムキッチンＳＫに適用したものである。システムキッチンＳＫにおいては、図１及び図２に示すように、この発明に係るビルトイン式ガスコンロ１がシステムキッチンＳＫの一部として一体に設けられている。システムキッチンＳＫは、筐体２を有している。この筐体２の一部がガスコンロ１の筐体として用いられている。ガスコンロ１は、独立したものとして設けてもよい。勿論、その場合には、筐体２に代えてガスコンロ１専用の筐体が用いられる。
【０００９】
筐体２の上面部には、装着口２ａが設けられている。筐体２の前面部には、上部に操作口２ｂが設けられ、下部に出し入れ口２ｃが設けられている。装着口２ａには、ガスバーナ（図示せず）等を有するガスコンロ本体３がその上部を装着口２ａから上方に突出させた状態で挿入されており、ガスコンロ本体３の周縁部が装着口２ａに臨む筐体２の上面に載置固定されている。筐体２の内部空間のうち、ガスコンロ本体３のほぼ水平な下面３ａより下側の部分が収容空間Ｓになっている。操作摘み（図示せず）等が設けられたガスコンロ本体３の前面３ｂが操作口２ｂを介して前方に露出されている。なお、ガスコンロ本体３は、その全体が装着口２ａ内に挿入されていてもよい。
【００１０】
筐体２の出し入れ口２ｃは、扉４によって開閉されるようになっている。すなわち、扉４の背面の下部には、上部が開放された収容ボックス５が一体に設けられている。収容ボックス５は、筐体２の内部に閉位置と開位置との間を前後方向へ移動可能に設けられている。収容ボックス５を閉位置に移動させると、扉４が出し入れ口２ｃを閉じる。収容ボックス５を開位置に移動させると、扉４が筐体２から前方へ移動して出し入れ口２ｃを開く。したがって、収容ボックス５に収容された壜Ｂ等の各種の収容物を出し入れ口２ｃから出し入れすることができる。扉４に代えて回動式の扉を筐体２に設けてもよい。その場合には、通常、収容ボックス５が設けられることがなく、壜Ｂ等の収容物が筐体２の載置板２ｄに載置される。
【００１１】
図３及び図４に示すように、ガスコンロ本体３のケーシングたるボディ３Ａは、厚さの薄い金属板によって構成されている。ボディ３Ａの背面（ガスコンロ本体３の背面）３ｃには、窓孔３ｄが形成されている。この窓孔３ｄには、ガスバーナに接続された導入口金（導入口）３ｅの先端部（上流側端部）が貫通状態で設けられている。導入口金３ｅは、その先端面（図４において右端面）が背面３ｃとほぼ同一位置に位置するか、背面３ｃより内部側に位置するように配置してもよい。導入口金３ｅは、管状をなしており、その先端部が水平方向後方に延びるように配置されている。背面３ｃより後方に位置する導入口金３ｅの先端部外周面には、テーパ雄ねじ部３ｆが形成されている。
【００１２】
導入口金３ｅには、所定の柔軟性を有するフレキシブルガス管（ガス供給管）Ｇが接続管６を介して接続されている。そして、フレキシブルガス管Ｇから導入口金３ｅに接続管６を介してガスが供給され、さらにガスコンロ本体３のガスバーナにガスが供給されるようになっている。
【００１３】
接続管６は、第１接続管部７及び第２接続管部８を有している。第１接続管部７は、直管状をなすものであり、スパナによって第１接続管部７を回転させることができるよう、その外周面が断面六角形状のスパナ掛け部７ａになっている。スパナ掛け部７ａは、第１接続管部７の全長にわたって形成されているが、その一部にのみ形成してもよい。また、スパナ掛け部７ａは、スパナ以外の他のねじ回し工具が用いられるときには、そのねじ回し工具に対応した断面形状のものに置き換えられる。第１接続管部７の内周面の一端部（上流側端部）には、テーパ雌ねじ部７ｂが形成されている。このテーパ雌ねじ部７ｂは、導入口金３ｅのテーパ雄ねじ部３ｆに螺合固定されている。これによって第１接続管部７が導入口金３ｅに接続されている。しかも、第１接続管部７は、その長手方向を前後方向に向けている。
【００１４】
第２接続管部８は、長さが短い短管部８ａと、この短管部８ａより長さが長く、短管部８ａに対して直角に屈曲した長管部８ｂとから構成されている。短管部８ａは、その軸線を前後方向に向けて配置されており、その前側の端部（下流側の端部）が第１接続管部７の後端部（上流側の端部）にシール状態で回動可能に嵌合されている。長管部８ｂは、短管部８ａの後端部から下方に向かって延びている。長管部８ｂの下端部（上流側の端部）は、ガスコンロ本体３の下面３ａより下方まで延びている。
【００１５】
下面３ａより下方に位置する長管部８ｂの中間部には、ガス栓部９が設けられている。ガス栓部９は、長管部８ｂの内部に設けられた弁体９ａと、長管部８ｂの外部に配置されたハンドル９ｂとを有している。弁体９ａは、その軸線を短管部８ａ及び長管部８ｂの各長手方向と直交する方向、つまり左右方向に向けた状態で、長管部８ｂに閉位置と開位置との間を回動可能に設けられている。弁体９ａを閉位置に回動させると、ガス栓部９が閉弁状態になり、長管部８ｂの弁体９ａより上流側の部分（下側の部分）と下流側の部分とが弁体９ａによって遮断される。その一方、弁体９ａを開位置に回動させると、ガス栓部９が開弁状態になり、長管部８ｂの上流側部分と下流側部分とが、弁体９ａの貫通孔９ｃを介して連通する。
【００１６】
ハンドル９ｂは、略円板状をなすものであり、ガスコンロ１を前方から見たとき、長管部８ｂの右側に配置されている。ハンドル９ｂは、長管部８ｂの左側に配置してもよい。ハンドル９ｂは、その軸線を弁体９ａの軸線と一致させた状態で配置されており、弁体９ａに固定されている。したがって、ハンドル９ｂによって弁体９ａを開閉回動操作することができる。
【００１７】
ハンドル９ｂの外径は、長管部８ｂの外径より若干大径になっている。したがって、ハンドル９ｂの外周部の前側に位置する部分は、図３に示すように、長管部８ｂから前方に突出している。しかし、この突出量は、ハンドル９ｂがその軸線方向において長管部８ｂから突出する突出量より小さい。換言すれば、図３において想像線で示すように、仮にハンドル９ｂの軸線方向を前後方向に向けた状態でハンドル９ｂを長管部８ｂの前側に配置したものとすると、その場合のハンドル９ｂの長管部８ｂから前方への突出量は、ハンドル９ｂを長管部８ｂの左右の側部に配置した場合の突出量より大きくなってしまう。ハンドル９ｂの長管部８ｂから前方への突出量をできる限り小さくするために、ハンドル９ｂが長管部８ｂの左右いずれかの側方に配置されているのである。なお、ハンドル９ｂを長管部８ｂの後方に配置すれば、ハンドル９ｂが長管部８ｂから前方へ突出することがないが、そのようにするとハンドル９ｂを回動操作することができなくなってしまう。
【００１８】
長管部８ｂの下端部には、ガス管接続装置１０が設けられている。このガス管接続装置１０は、フレキシブルガス管Ｇを長管部８ｂの下端部に接続するためのものであり、フレキシブルガス管Ｇの下流側端部を長管部８ｂに所定の深さまで挿入すると、フレキシブルガス管Ｇの下流側端部が長管部８ｂの下端部に自動的に接続されるように構成されている。ガス管接続装置１０の構造は、周知であるのでその説明は省略する。なお、フレキシブルガス管Ｇの上流側端部は、図２に示すように、筐体２の背板２ｅを貫通して外部に導出され、元栓（図示せず）に接続されている。
【００１９】
上記構成のビルトイン式ガスコンロ１においては、導入口金３ｅがガスコンロ本体３の背面部３ｃに設けられ、それに対応して接続管６及びフレキシブルガス管Ｇがガスコンロ本体３の後端部と同一位置かそれより後方に位置し、その結果収容空間Ｓの後端部に位置している。したがって、収容空間Ｓには、接続管６及びフレキシブルガス管Ｇに対して後方に続く部分が無い。よって、収容空間Ｓのうち接続管６及びフレキシブルガス管Ｇによって狭められる空間は、接続管６及びフレキシブルガス管Ｇの容積分だけである。したがって、収容空間Ｓの使用可能な範囲を実質的に広くすることができる。
【００２０】
また、この実施の形態のガスコンロ１においては、ガス栓部９のハンドル９ｂが左右方向を向いており、ハンドル９ｂの長管部８ｂから前方への突出量が、ハンドル９ｂを長管部８ｂの前方に配置した場合の突出量より小さい。したがって、スパナをスパナ掛け部７ａに係合させて第１接続管部７を回すときに、ハンドル９ｂが邪魔になったり、スパナがハンドル９ｂに突き当たったりすることがない。よって、第１接続管部７を導入口金３ｅに容易に螺合固定することができ、ひいては接続管６を導入口金３ｅに容易に接続することができる。
【００２１】
次に、この発明の他の実施の形態を説明する。なお、以下の実施の形態については、上記実施の形態と異なる構成だけを説明することとし、上記実施の形態と同様な構成部分には同一符号を付してその説明を省略する。
【００２２】
図６は、この発明の第２実施の形態の要部を示す。この実施の形態においては、導入口金３ｅの先端部内周面にテーパ雌ねじ部３ｇが形成されている。これに対応して、第１接続管部７の外周面の下流側端部にテーパ雄ねじ部７ｃが形成されている。このテーパ雄ねじ部７ｃがテーパ雌ねじ部３ｇに螺合固定されることにより、接続管７の下流側端部が導入口金３ｅに接続されている。第１接続管部７の外周面にテーパ雄ねじ部７ｃを形成すると、その分だけスパナ掛け部７ａの長さが短くなる。しかも、スパナ掛け部７ａが第１接続管部７の後端部に位置する。このため、スパナ掛け部７ａにスパナを係合させ難くなる。したがって、ハンドル９ｂを長管部８ｂの左右のいずれかの側方に配置することによってハンドル９ｂの長管部８ｂから前方への突出量を小さくしたことによる効果、つまりハンドル９ｂが邪魔になることなくスパナによって第１接続管部７を回すことができるという効果がより一層顕著になる。なお、導入口金３ｅにテーパ雌ねじ部３ｇを形成し、第１接続管部７にテーパ雌ねじ部７ｃを形成するという構成は、以下に述べる第３及び第４実施の形態においても適用可能である。
【００２３】
図７〜図９は、この発明の第３実施の形態を示す。この実施の形態においては、第１実施の形態の接続管６に代えて接続管６Ａが用いられている。この接続管６Ａは、第１接続管部７、第２接続管部８及び第３接続管部１１を有している。
【００２４】
第１接続管部７は、第１実施の形態の第１接続管部７と同様に構成されており、導入口金３ｅに螺合固定されている。第２接続管部８も、第１実施の形態の第２接続管８と同様に、第１接続管部７に回動可能に嵌合された短管部８ａと、この短管部８ａから下方に向かって延びる長管部８ｂとを有しており、長管部８ｂの下端部は、ガスコンロ本体３の下面３ａより下方に位置させられている。長管部８ｂの下端部は、下面３ａより上方に位置させてもよい。
【００２５】
第３接続管部１１は、直管状をなしており、その上端部（下流側の端部）が第２接続管部８の下端部（上流側端部）に上下方向に延びる軸線を中心として回動可能に嵌合されている。第３接続管部１１は、長管部８ｂの下端部が下面３ａより下方まで延びているので、下面３ａより下方に位置している。長管部８ｂの下端部が下面３ａより上側に位置している場合には、第３接続管部１１の長さを長くして、第３接続管部１１の中間部及び下端部を下面３ａより下方に位置させる。下面３ａより下方に位置する第３接続管部１１の上下方向における中間部には、弁体９ａ及びハンドル９ｂを有するガス栓部９が設けられている。第３接続管部１１の下端部には、ガス管接続装置１０が設けられている。そして、このガス管接続装置１０を介してフレキシブルガス管Ｇが第３接続管部１１の下端部（上流側端部）に連結されている。
【００２６】
上記構成の第３実施の形態において、接続管６Ａの第１接続管部７を導入口金３ｅに螺合固定する場合には、図９に示すように、ハンドル９ｂの軸線を左右方向に向け、第１接続管部７をスナパによって回すときにハンドル９ｂが邪魔にならないようにしておく。第１接続管部７を導入口金３ｅに螺合固定したら、第３接続管部１１をほぼ９０°回動させてハンドル９ｂの軸線を前後方向に向けるとともに、ハンドル９ｂを第３接続管部１１の前側に位置させる。このようにすることにより、ハンドル９ｂを出し入れ口２ｃから容易に視認することができる。しかも、出し入れ口２ｃから収容空間Ｓ内に手を入れてハンドル９ｂを開閉回動させる際に、ハンドル９ｂを容易に回動させることができる。なお、第３接続管部１１は、長管部８ｂに対して３６０°以上自由に回動することができるが、少なくともハンドル９ｂを第３接続管部１１の左右の側方から前方に至る範囲に位置させることができるよう、回動可能であればよく、この実施の形態ではほぼ９０°回動可能であればよい。
【００２７】
接続管６Ａを導入口金３ｅに接続した後、フレキシブルガス管Ｇを接続管６Ａの第３接続管部１１にガス管接続装置１０を介して接続する。フレキシブルガス管Ｇは、接続管６Ａを導入口金３ｅに接続する前に接続管６Ａに予め接続しておいてもよい。ただし、その場合には、第３接続管部１１の左右の側方に位置するハンドル９ｂを第３接続管１１の前方に位置させるときに、第３接続管部１１をフレキシブルガス管Ｇと一緒に回さなければならず、大きな力を必要とする。しかも、フレキシブルガス管Ｇがガス管接続装置１０に内蔵されたＯリング等のシール部材を傷付けるおそれがある。そこで、ハンドル９ｂを前方に向けない場合を除き、フレキシブルガス管Ｇは、接続管６Ａを導入口金３ｅに接続した後に、接続管６Ａに接続することが望ましい。
【００２８】
図１０は、この発明の第４実施の形態を示す。この実施の形態は、上記第３実施の形態を変形したものであり、接続管６Ａに代えて接続管６Ｂが用いられている。接続管６Ｂにおいては、第３接続管部１１の内周面の下端部（上流側端部）にテーパ雌ねじ部１１ａが形成されている。このテーパ雌ねじ部１１ａには、直管状をなす継手１３の外周面の上端部（下流側端部）に形成されたテーパ雄ねじ部１３ａが螺合固定されている。継手１３の下端部には、ガス管接続装置１０が設けられている。そして、第３接続管部１１の上流側端部に、フレキシブルガス管１０がガス管接続装置１０及び継手３を介して接続されている。
【００２９】
なお、第３接続管部１１の外周面の下端部にテーパ雄ねじ部を形成し、このテーパ雄ねじ部に螺合されるテーパ雌ねじ部を継手１３の内周面の上端部に形成してもよい。また、ガス管接続装置１０を有する継手１３を用いることは、上記第１及び第２実施の形態にも適用可能であり、次に述べる第５実施の形態にも適用可能である。
【００３０】
図１１は、この発明の第５実施の形態を示す。この実施の形態においては、第３実施の形態の接続管６Ａに代えて接続管６Ｃが用いられている。接続管６Ｃは、第１、第２及び第３接続管部７，８，１１に加えて、第４接続管部１２を有している。第４接続管部１２は、直管状をなしており、その上端部（下流側端部）が第３接続管部１１の下端部（上流側端部）に上下に延びる軸線を中心として回動可能に嵌合されている。第４接続管部１２の下端部には、ガス管接続装置１０が設けられている。なお、第３接続管部１１が９０°だけ回動可能である場合には、第４接続管部１２は第３接続管部１１に対して９０°だけ回動可能にしてもよい。
【００３１】
この実施の形態においては、ガス栓部９が設けられた第３接続管部１１が第２接続管部８及び第４接続管部１２に対して回動可能であるから、接続管６Ｃを導入口金３ｅに接続するとともに、接続管６Ｃにフレキシブルガス管Ｇを接続した状態において、第３接続管部１１を回動させたとしても、フレキシブルガス管Ｇが第３接続管部１１と一緒に回動することがなく、第３接続管部１１だけを回動させることができる。したがって、ガス栓部９が設けられた第３接続管部１１を容易に回動させることができ、しかもガス管接続装置１０に内蔵されたシール部材がフレキシブルガス管Ｇによって傷付けられることを防止することができる。
【００３２】
なお、この発明は、上記の実施の形態に限定されるものでなく、その要旨を逸脱しない範囲において適宜変更可能である。
例えば、第１及び第２実施の形態においては、長管部８ｂを直管状に形成しているが、ガス栓部９より下側の部分を屈曲させて後方に向けてもよい。これは、第３実施の形態の第３接続管部１１のガス栓部９より下側の部分、及び上記第４実施の形態の第４接続管部１２のガス栓部９より下側の部分についても同様である。
【図面の簡単な説明】
【００３３】
【図１】この発明の第１実施の形態の一部を省略して示す図２のＸ−Ｘ線に沿う断面図である。
【図２】図１のＸ−Ｘ線に沿う断面図である。
【図３】同実施の形態の要部を示す一部切欠き側面図である。
【図４】同実施の形態の要部を示す側断面図である。
【図５】図３のＸ矢視図である。
【図６】この発明の第２実施の形態を示す図３と同様の側面図である。
【図７】この発明の第３実施の形態の要部を、ハンドルを接続管の前側に位置させた状態で示す側面図である。
【図８】同実施の形態の要部の側断面図である。
【図９】同実施の形態の要部を、ハンドルを接続管の右側に位置させた状態で示す側面図である。
【図１０】この発明の第４実施の形態の要部を、ハンドルを接続管の左側に位置させた状態で示す側断面図である。
【図１１】この発明の第５実施の形態の要部を、ハンドルを接続管の前側に位置させた状態で示す側断面図である。
【符号の説明】
【００３４】
Ｇ  フレキシブルガス管（ガス供給管）
１  ビルトイン式ガスコンロ
２  筐体
２ａ  装着口
３  ガスコンロ本体
３ａ  下面
３ｃ  背面
３ｅ  導入口金（導入口）
６  接続管
６Ａ  接続管
６Ｂ  接続管
６Ｃ  接続管
７  第１接続管部
８  第２接続管部
８ａ  短管部（下流側端部）
８ｂ  長管部（上流側端部）
９  ガス栓部
９ａ  弁体
９ｂ  ハンドル
１１  第３接続管部
１２  第４接続管部
【図１】
0005249573.tif 000002
【図２】
0005249573.tif 000003
【図３】
0005249573.tif 000004
【図４】
0005249573.tif 000005
【図５】
0005249573.tif 000006
【図６】
0005249573.tif 000007
【図７】
0005249573.tif 000008
【図８】
0005249573.tif 000009
【図９】
0005249573.tif 000010
【図１０】
0005249573.tif 000011
【図１１】
0005249573.tif 000012